(57)【要約】【課題】  表示灯点灯試験によって、火災表示制御線の断線の有無を確認すること。【解決手段】  複数の感知器回線に対応して設けられた複数の火災検出回路と、複数の感知器回線に対応して設けられ、対応する火災検出回路が火災を検出したときに閉じられる複数のスイッチと、を有する火災受信機と；前記複数の感知器回線に対応して設けられた複数の表示灯を有する火災表示機と；前記複数の感知器回線に対応して設けられ、対応する前記スイッチと表示灯とを接続する複数の火災表示制御線と；を備えた火災報知設備において、表示灯試験スイッチを前記火災表示機に設け、前記表示灯試験スイッチのオンを検出するオン検出回路を前記火災受信機に設け、前記表示灯試験スイッチとオン検出回路とを表示灯試験線で接続し、前記オン検出回路が前記表示灯試験スイッチのオンを検出したときに、前記複数のスイッチを閉じて、前記複数の表示灯の点灯試験を行うことを特徴とする。【選択図】  図１
2008102747.tif 000002
【特許請求の範囲】
【請求項１】
複数の感知器回線に対応して設けられた複数の火災検出回路と、複数の感知器回線に対応して設けられ、対応する火災検出回路が火災を検出したときに閉じられる複数のスイッチと、を有する火災受信機と；前記複数の感知器回線に対応して設けられた複数の表示灯を有する火災表示機と；前記複数の感知器回線に対応して設けられ、対応する前記スイッチと表示灯とを接続する複数の火災表示制御線と；を備えた火災報知設備において、
表示灯試験スイッチを前記火災表示機に設け、前記表示灯試験スイッチのオンを検出するオン検出回路を前記火災受信機に設け、前記表示灯試験スイッチとオン検出回路とを表示灯試験線で接続し、前記オン検出回路が前記表示灯試験スイッチのオンを検出したときに、前記複数のスイッチを閉じて、前記複数の表示灯の点灯試験を行うことを特徴とする火災報知設備。
【発明の詳細な説明】
【技術分野】
【０００１】
本発明は、火災報知設備、特に火災受信機とＰ型配線接続された火災表示機の表示灯試験に関する。
【背景技術】
【０００２】
火災受信機と火災表示機とをＰ型配線接続した火災報知設備が知られている（例えば、特許文献１参照）。
【０００３】
図２はＰ型配線接続した火災報知設備の従来例を示す図である。火災受信機ＲＥ２は、火災感知器が設けられた複数の感知器回線ＫＬ１〜ＫＬｎが接続され、複数の火災検出回路Ｋ１〜Ｋｎと、常時開の複数のスイッチＳＷ１〜ＳＷｎと、制御部１１０と、電源部１２０とを備えている。火災検出回路Ｋ１〜ＫｎとスイッチＳＷ１〜ＳＷｎとは、複数の感知器回線ＫＬ１〜ＫＬｎに対応して設けられ、スイッチＳＷ１〜ＳＷｎは、一端が共通の電源部１２０に接続され、他端が端子Ｉ１〜Ｉｎに接続されている。また、電源部１２０は端子Ｉ＋に接続され、また、端子Ｉ−はグランド接続されている。
【０００４】
火災表示機ＤＰ２は、複数の感知器回線ＫＬ１〜ＫＬｎに対応して設けられた複数の表示灯Ｌ１〜Ｌｎと、表示灯試験スイッチＳＷＴと、逆流防止用のダイオードＤ１〜Ｄｎとを備えている。表示灯Ｌ１〜Ｌｎは、一端が端子ＩＩ１〜ＩＩｎに接続され、他端が端子ＩＩ−に接続されている。また、表示灯試験スイッチＳＷＴは、一端が端子ＩＩ＋に接続され、他端がダイオードＤ１〜Ｄｎを介して、表示灯Ｌ１〜Ｌｎに接続されている。
【０００５】
そして、火災受信機ＲＥ２と火災表示機ＤＰ２とは、端子Ｉ１と端子ＩＩ１、端子Ｉ２と端子ＩＩ２、…、端子Ｉｎと端子ＩＩｎとの間を、感知器回線ＫＬ１〜ＫＬｎに対応して設けられた、火災表示制御線ｌ１〜ｌｎで接続されている。また、端子Ｉ＋と端子ＩＩ＋との間を表示灯試験線ｌ＋で接続され、端子Ｉ−と端子ＩＩ−との間をグランドｌ−線で接続されている。
【０００６】
つまり、複数の感知器回線ＫＬ１〜ＫＬｎに対応した複数の火災検出回路Ｋ１〜ＫｎおよびスイッチＳＷ１〜ＳＷｎが火災受信機ＲＥ２に設けられ、複数の感知器回線ＫＬ１〜ＫＬｎに対応した複数の表示灯Ｌ１〜Ｌｎが火災表示機ＤＰ２に設けられ、対応するスイッチＳＷ１〜ＳＷｎと表示灯Ｌ１〜Ｌｎとが、複数の火災表示制御線ｌ１〜ｌｎで接続されており、火災受信機ＲＥ２と火災表示機ＤＰ２とは、火災表示制御線ｌ１〜ｌｎによって、Ｐ型配線接続されている。そして、制御部１１０は、火災検出部Ｋ１〜Ｋｎが火災を検出すると、対応するスイッチＳＷ１〜ＳＷｎをオンする。これにより、電源部１２０からの電源が、対応するスイッチＳＷ１〜ＳＷｎ、対応する火災表示制御線ｌ１〜ｌｎを介して、対応する表示灯Ｌ１〜Ｌｎに供給され、対応する表示灯Ｌ１〜Ｌｎを点灯させて、火災表示機ＤＰ２で感知器回線ＫＬ１〜ＫＬｎ毎の火災表示を行うことができる。
【０００７】
また、表示灯点灯試験を行う場合は、火災表示機ＤＰ２上の表示灯試験スイッチＳＷＴをオンすることによって、電源部１２０からの電源が、表示灯試験線ｌ＋、スイッチＳＷＴ、ダイオードＤ１〜Ｄｎを介して、表示灯Ｌ１〜Ｌｎに供給されるので、表示灯Ｌ１〜Ｌｎの点灯消灯状態により、表示灯Ｌ１〜Ｌｎの故障（断線など）の有無や、表示灯試験線ｌ＋、グランド線ｌ−などの配線の断線の有無を確認することができる。
【特許文献１】特開平１０−３２０６６５号公報。
【発明の開示】
【発明が解決しようとする課題】
【０００８】
上記表示灯点灯試験は、表示灯Ｌ１〜Ｌｎの故障の有無や、表示灯試験線ｌ＋、グランド線ｌ−などの配線の断線の有無を確認することができるが、火災表示制御線ｌ１〜ｌｎの断線の有無を確認することができなかった。そのため、火災時に、必要な表示灯Ｌ１〜Ｌｎが点灯しないということが考えられ、好ましくない。
【０００９】
本発明は、表示灯点灯試験によって、火災表示制御線の断線の有無を確認することができる火災報知設備を提供することを目的とするものである。
【課題を解決するための手段】
【００１０】
本発明は、複数の感知器回線に対応して設けられた複数の火災検出回路と、複数の感知器回線に対応して設けられ、対応する火災検出回路が火災を検出したときに閉じられる複数のスイッチと、を有する火災受信機と；前記複数の感知器回線に対応して設けられた複数の表示灯を有する火災表示機と；前記複数の感知器回線に対応して設けられ、対応する前記スイッチと表示灯とを接続する複数の火災表示制御線と；を備えた火災報知設備において、表示灯試験スイッチを前記火災表示機に設け、前記表示灯試験スイッチのオンを検出するオン検出回路を前記火災受信機に設け、前記表示灯試験スイッチとオン検出回路とを表示灯試験線で接続し、前記オン検出回路が前記表示灯試験スイッチのオンを検出したときに、前記複数のスイッチを閉じて、前記複数の表示灯の点灯試験を行うことを特徴とする。
【発明の効果】
【００１１】
本発明は、複数の感知器回線に対応して設けられた複数の火災検出回路と、複数の感知器回線に対応して設けられ、対応する火災検出回路が火災を検出したときに閉じられる複数のスイッチと、を有する火災受信機と；前記複数の感知器回線に対応して設けられた複数の表示灯を有する火災表示機と；前記複数の感知器回線に対応して設けられ、対応する前記スイッチと表示灯とを接続する複数の火災表示制御線と；を備えた火災報知設備において、表示灯試験スイッチを前記火災表示機に設け、前記表示灯試験スイッチのオンを検出するオン検出回路を前記火災受信機に設け、前記表示灯試験スイッチとオン検出回路とを表示灯試験線で接続し、前記オン検出回路が前記表示灯試験スイッチのオンを検出したときに、前記複数のスイッチを閉じて、前記複数の表示灯の点灯試験を行う。つまり、表示灯点灯試験時に、複数の火災表示制御線を介して複数の表示灯に電源を供給する構成としたので、複数の表示灯の点灯消灯状態により、複数の表示灯の故障（断線など）の有無のみでなく、複数の火災表示制御線の断線の有無を確認することができる。なお、従来と同様に、表示灯試験線、グランド線の配線の断線の有無も確認することができるので、つまり、火災受信機と火災表示機との間の必要な配線の状態を確認することができる。
【発明を実施するための最良の形態】
【００１２】
図１は、本発明の一実施例であるＰ型配線接続した火災報知設備を示す図である。なお、図２で説明したものと同一機能のものには同一符号および同一名称を付与してあるので説明を省略する。
【００１３】
火災報知設備は、火災感知器が設けられた複数の感知器回線ＫＬ１〜ＫＬｎと、火災受信機ＲＥ１と、火災表示機ＤＰ１と、火災受信機ＲＥ１と火災表示機ＤＰ１とを接続する、表示灯試験線ｌ＋、火災表示制御線ｌ１〜ｌｎ、グランド線ｌ−とを有する。
【００１４】
火災受信機ＲＥ１は、複数の感知器回線ＫＬ１〜ＫＬｎが接続される複数の火災検出回路Ｋ１〜Ｋｎと、常時開の複数のスイッチＳＷ１〜ＳＷｎと、制御部１０と、電源部２０と、オン検出回路４０とを備えている。
【００１５】
火災検出回路Ｋ１〜ＫｎとスイッチＳＷ１〜ＳＷｎとは、複数の感知器回線ＫＬ１〜ＫＬｎに対応して設けられ、スイッチＳＷ１〜ＳＷｎは、一端が共通の電源部２０に接続され、他端が端子Ｉ１〜Ｉｎに接続されている。また、電源部２０は、オン検出回路４０を介して、端子ＩＴＩに供給され、また、端子Ｉ−はグランド接続されている。
【００１６】
火災表示機ＤＰ１は、複数の感知器回線ＫＬ１〜ＫＬｎに対応して設けられた複数の表示灯Ｌ１〜Ｌｎと、表示灯試験スイッチＳＷＴとを備えている。表示灯Ｌ１〜Ｌｎは、一端が端子ＩＩ１〜ＩＩｎに接続され、他端が端子ＩＩ−に接続されている。また、表示灯試験スイッチＳＷＴは、一端が端子ＩＩＴＩに接続され、他端が端子ＩＩ−に接続されている。
【００１７】
そして、火災受信機ＲＥ１と火災表示機ＤＰ１とは、端子Ｉ１と端子ＩＩ１、端子Ｉ２と端子ＩＩ２、…、端子Ｉｎと端子ＩＩｎとの間を、感知器回線ＫＬ１〜ＫＬｎに対応して設けられた、火災表示制御線ｌ１〜ｌｎで接続されている。また、端子ＩＴＩと端子ＩＩＴＩとの間を表示灯試験線ｌ＋で接続され、端子Ｉ−と端子ＩＩ−との間をグランドｌ−線で接続されている。
【００１８】
つまり、複数の感知器回線ＫＬ１〜ＫＬｎに対応した複数の火災検出回路Ｋ１〜ＫｎおよびスイッチＳＷ１〜ＳＷｎが火災受信機ＲＥ１に設けられ、複数の感知器回線ＫＬ１〜ＫＬｎに対応した複数の表示灯Ｌ１〜Ｌｎが火災表示機ＤＰ１に設けられ、対応するスイッチＳＷ１〜ＳＷｎと表示灯Ｌ１〜Ｌｎとが、複数の火災表示制御線ｌ１〜ｌｎで接続されており、火災受信機ＲＥ１と火災表示機ＤＰ１とは、火災表示制御線ｌ１〜ｌｎによって、Ｐ型配線接続されている。そして、制御部１０は、火災検出部Ｋ１〜Ｋｎが対応する感知器回線ＫＬ１〜ＫＬｎの火災を検出すると、対応するスイッチＳＷ１〜ＳＷｎを閉じる。これにより、電源部２０からの電源が、対応するスイッチＳＷ１〜ＳＷｎ、対応する火災表示制御線ｌ１〜ｌｎを介して、対応する表示灯Ｌ１〜Ｌｎに供給され、対応する表示灯Ｌ１〜Ｌｎを点灯させて、火災表示機ＤＰ１で感知器回線ＫＬ１〜ＫＬｎ毎の火災表示を行うことができる。
【００１９】
つぎに、表示灯点灯試験を行い場合は、火災表示機ＤＰ１上の表示灯試験スイッチＳＷＴをオンする。ここで、表示灯試験線ｌ＋またはグランド線ｌ−が断線していれば、後述する表示灯Ｌ１〜Ｌｎの点灯試験時において、全ての表示灯Ｌ１〜Ｌｎが点灯しないので、表示灯試験線ｌ＋またはグランド線ｌ−が断線していることがわかる。
【００２０】
一方、表示灯試験線ｌ＋またはグランド線ｌ−が断線していなければ、電源部２０からの電源が、オン検出回路４０、表示灯試験線ｌ＋、表示灯試験スイッチＳＷＴを介してグランド線ｌ−に供給される。つまり、火災表示機ＤＰ１に電源が供給されるので、これをオン検出回路４０が検出して、検出信号を制御部１０に出力する。
【００２１】
制御部１０は、検出信号が入力すると、スイッチＳＷ１〜ＳＷｎを閉じる制御を順次行って、個々の表示灯Ｌ１〜Ｌｎの点灯試験を行う。つまり、最初にスイッチＳＷ１を閉じる。このとき、火災表示制御線ｌ１またはグランド線ｌ−が断線していなければ、または表示灯Ｌ１が故障（断線など）していなければ、電源部２０からの電源が、スイッチＳＷ１、火災表示制御線ｌ１を介して、表示灯Ｌ１に供給され、表示灯Ｌ１が点灯する。一方、火災表示制御線ｌ１またはグランド線ｌ−が断線していれば、または表示灯Ｌ１が故障していれば、電源部２０からの電源が、表示灯Ｌ１に供給されないので、表示灯Ｌ１が点灯しない。表示灯Ｌ１の点灯試験が終了すると、制御部１０は、スイッチＳＷ１を開き、次のスイッチＳＷ２を閉じ、表示灯Ｌ２の点灯試験を行う。これを最後の表示灯Ｌｎの点灯試験まで順次行うことにより、表示灯Ｌ１〜Ｌｎの点灯消灯状態により、表示灯Ｌ１〜Ｌｎの故障の有無のみならず、火災表示制御線ｌ１〜ｌｎの配線の断線の有無を確認することができる。つまり、表示灯Ｌ１〜Ｌｎの点灯によって、対応する表示灯Ｌ１〜Ｌｎが故障しておらず、かつ、対応する火災表示制御線ｌ１〜ｌｎの配線が断線していないことが判り、一方、表示灯Ｌ１〜Ｌｎの消灯によって、対応する表示灯Ｌ１〜Ｌｎが故障しているか、または、対応する火災表示制御線ｌ１〜ｌｎの配線が断線していることが判る。また、従来と同様に、表示灯試験線ｌ＋、グランド線ｌ−、などの配線の断線の有無を確認することができる。
【００２２】
以上、説明した通り、本実施例は、複数の感知器回線ＫＬ１〜ＫＬｎに対応して設けられた複数の火災検出回路Ｋ１〜Ｋｎと、複数の感知器回線ＫＬ１〜ＫＬｎに対応して設けられ、対応する火災検出回路Ｋ１〜Ｋｎが火災を検出したときに閉じられる複数のスイッチＳＷ１〜ＳＷｎと、を有する火災受信機ＲＥ１と；前記複数の感知器回線ＫＬ１〜ＫＬｎに対応して設けられた複数の表示灯Ｌ１〜Ｌｎを有する火災表示機ＤＰ１と；前記複数の感知器回線ＫＬ１〜ＫＬｎに対応して設けられ、対応する前記スイッチＳＷ１〜ＳＷｎと表示灯Ｌ１〜Ｌｎとを接続する複数の火災表示制御線ｌ１〜ｌｎと；を備えた火災報知設備において、表示灯試験スイッチＳＷＴを前記火災表示機ＤＰ１に設け、前記表示灯試験スイッチＳＷＴのオンを検出するオン検出回路４０を前記火災受信機ＲＥ１に設け、前記表示灯試験スイッチＳＷＴとオン検出回路４０とを表示灯試験線ｌ＋で接続し、前記オン検出回路４０が前記表示灯試験スイッチＳＷＴのオンを検出したときに、前記複数のスイッチＳＷ１〜ＳＷｎを閉じて、前記複数の表示灯Ｌ１〜Ｌｎの点灯試験を行う。つまり、表示灯Ｌ１〜Ｌｎの点灯試験時に、複数の火災表示制御線ｌ１〜ｌｎを介して複数の表示灯Ｌ１〜Ｌｎに電源を供給する構成としたので、複数の表示灯Ｌ１〜Ｌｎの点灯消灯状態により、複数の表示灯Ｌ１〜Ｌｎの故障（断線など）の有無のみでなく、複数の火災表示制御線ｌ１〜ｌｎの断線の有無を確認することができる。なお、従来と同様に、表示灯試験線ｌ＋、グランド線ｌ−の配線の断線の有無も確認することができるので、つまり、火災受信機ＲＥ１と火災表示機ＤＰ１との間の必要な配線の状態を確認することができる。
【図面の簡単な説明】
【００２３】
【図１】本発明の一実施例であるＰ型配線接続した火災報知設備を示す図である。
【図２】Ｐ型配線接続した火災報知設備の従来例を示す図である。
【符号の説明】
【００２４】
ＲＥ１…火災受信機、ＫＬ１〜ＫＬｎ…感知器回線、Ｋ１〜Ｋｎ…火災検出回路、ＳＷ１〜ＳＷｎ…スイッチ、１０…制御部、２０…電源部、４０…オン検出回路、ＤＰ１…火災表示機、ＳＷＴ…表示灯試験スイッチ、Ｌ１〜Ｌｎ…表示灯、ｌ＋…表示灯試験線、ｌ１〜ｌｎ…火災表示制御線、ｌ−…グランド線。
【図１】
2008102747.tif 000003
【図２】
2008102747.tif 000004